(57)【要約】      （修正有）【課題】回転するブレード刃を作業者の膝を用いて前方に押し出し操作をすることにより、草刈り作業が格段に効率的となる肩掛け式膝押草刈り機を提供する。【解決手段】先端に回転ブレード刃４、後端に駆動源たるエンジン部２とを有する肩掛け式草刈り機１において、回転ブレード刃４とエンジン部２との間のパイプシャフト３のハンドル交差部８の左右に配置する長尺ハンドル５及び短尺ハンドル６と、長尺ハンドル５のハンドル交差部８から５ｃｍ〜４５ｃｍの位置に作業者の膝で肩掛け式草刈り機１を前方に押し出す膝押しパッド７と、を有する。【選択図】図１
0003223823.tif 000002
【実用新案登録請求の範囲】
【請求項１】
先端に回転ブレード刃、後端に駆動源たるエンジン部とを有する肩掛け式草刈り機において、
前記回転ブレード刃とエンジン部との間のパイプシャフトのハンドル交差部の左右に配置する長尺ハンドル及び短尺ハンドルと、
前記長尺ハンドルの前記ハンドル交差部から５ｃｍ〜４５ｃｍの位置に作業者の膝で肩掛け式草刈り機を前方に押し出す膝押しパッドと、
を有することを特徴とする肩掛け式膝押草刈り機。
【請求項２】
前記回転ブレード刃の下面に所定厚みを有し、全体として扁平な和太鼓状で胴周縁全周が凹凸状に屈曲して波打つ複数の周縁突出部及びそれらの間の谷溝又は同周辺部が複数水玉状の突出部とを有する刃押えアタッチメントを有することを特徴とする請求項１に記載の肩掛け式膝押草刈り機。
【考案の詳細な説明】
【技術分野】
【０００１】
本考案は、後端に配置されるエンジン等の動力機構によって前端に配置される円盤状ブレード刃を回動させて草刈りを行う肩掛け式草刈り機に関する。
【背景技術】
【０００２】
この種の肩掛け式草刈り機は、後端にエンジン等の動力機構と先端の円盤状ブレード刃との間のパイプシャフトの間に左右に延設されるハンドルを配置し、草刈り作業においては、円盤状ブレード刃を地面に沿って左右に振り回して草刈りを実現していた。
肩掛け式草刈り機においては、その作業性向上のため利き手のハンドルやパイプシャフトに別途のハンドル杆を設けて作業性を高めるもの（実用新案登録第３０４７７４９号公報）や左右のハンドル長に工夫して草刈り機が作業者の体の中心位置となるもの（特許第５０８０６９７号公報）が知られている。
【０００３】
上記実用新案登録第３０４７７４９号公報の開示は、考案名称「草刈り機」に係り、「パイプシャフト前端の円盤刃を回転駆動させて草刈りを行う肩掛け式の草刈り機として、傾斜地の草刈りにおいても姿勢を崩すことなく自然体で楽に作業を行えるものを提供すること」を目的とし(同公報明細書段落番号０００５参照）、「・・パイプシャフトとハンドル杆との交差部の近傍に、握り部を有する副操作杆が取付けられてなる」とすることにより(同公報実用新案登録請求の範囲請求項１の記載参照）、「・・傾斜地の草刈りにおいても姿勢を崩すことなく自然体で楽に作業を行えると共に、構造的に極めて簡素であって、既存の草刈り機をも大幅な改変を要さずに利用できる」との効果を奏するものである(同公報明細書段落番号００１６参照）。
【０００４】
図８は、実用新案登録第３０４７７４９号公報に図１として添付される開示考案の一実施例に係る草刈り機の斜視図であり、図８において、符号１０１は、パイプシャフト、１０２は、円盤刃、１０２ａは、ギヤケース、１０３は、ケーシング、１０４は、ハンドル杆、１０４ａは、取付具、１０５は、吊りバンド、１０６ａ、１０６ｂは、握り部、１０７は、副操作杆、１０７ａは、握り部、１０７ｂは、取付基部、１０７ｃは、固定用ねじ、１０８は、防止板、１０９は、スロットルレバーである（なお、符号は、先行技術であることを明らかにするために、本願出願人において、３桁に変更して説明した。）。
【０００５】
また、特許第５０８０６９７号公報の開示は、発明名称「肩掛け式草刈り機のハンドル」に係り、「従来の草刈り機のハンドル位置では、体軸がずれ疲労しやすくなる問題点」の解決を課題として(同公報明細書段落番号０００６参照）、「（１）ハンドルをパイプシャフトに対して左側に偏奇させることで、左側ハンドルのグリップが、右手側ハンドルのグリップよりもパイプシャフトから離れて位置している。（２）左手側ハンドルを前方に曲げ、右手側ハンドルを上方に曲げることで、左手側ハンドルのグリップが、右手側ハンドルのグリップよりも前方側に位置する。右手側ハンドルのグリップよりも前方側に傾斜している。（３）エンジン先端部から１８センチメートルの位置に肩掛けフックを設置する。」構成とすることにより（同公報特許請求の範囲請求項１の記載参照）、「・・草刈り機のハンドル位置の変更により体軸が整い、姿勢が安定し作業が容易になる。その結果、竹ぼうきを履く様に体をねじらず肘と手首を効率的に使った動作により少ない動きで安定した作業が速く正確にできることにより疲れを最小限に抑える」等の効果を奏するものである(同公報明細書段落番号０００８参照）。
【０００６】
しかしながら、これら従来の草刈り機における工夫は、実用新案登録第３０４７７４９号公報添付の図２に示されるように円盤状ブレード刃を作業者の体に対し、左右に振り回すことを前提にするだけである。
図９は、実用新案登録第３０４７７４９号公報に図２として添付される開示考案の草刈り機による草刈り操作を説明する模式図であり、符号は、図８で示す同じ部材は同じ符号で示すほか、アルファベットＡ、Ｂ、Ｍ、Ｏは、同公報によれば、Ａ、Ｂは、正面からの作業部位、Ｍは作業者、Ｏは、その身体中心である。
【先行技術文献】
【特許文献】
【０００７】
【特許文献１】実用新案登録第３０４７７４９号公報
【特許文献２】特許第５０８０６９７号公報
【考案の概要】
【考案が解決しようとする課題】
【０００８】
本願考案者は、草刈り作業の実際においては、回転するブレード刃を左右に振って草を刈ることも重要であるが、回転するブレード刃を前方に押し出すことで行う草刈り作業が効率的であることに鑑み、特に、回転するブレード刃を作業者の右又は左の膝を用いて前方に押し出し操作をすることにより、草刈り作業が格段に効率的となることを見出し、肩掛け式膝押草刈り機を提供することを目的とする。また、ブレード刃の下面押え取付金具を工夫することにより、前記回転ブレード刃の回転動力の一部を左方向への直線駆動力に変換して活用することによって作業者の労力を軽減することをも目的とする。
【課題を解決するための手段】
【０００９】
上記の課題を解決するために、本願請求項１に係る肩掛け式膝押草刈り機は、先端に回転ブレード刃、後端に駆動源たるエンジン部とを有する肩掛け式草刈り機において、前記回転ブレード刃とエンジン部との間のパイプシャフトのハンドル交差部の左右に配置する長尺ハンドル及び短尺ハンドルと、前記長尺ハンドルの前記ハンドル交差部から５ｃｍ〜４５ｃｍの位置に作業者の膝で肩掛け式草刈り機を前方に押し出す膝押しパッドと、を有することを特徴とする。
また、本願請求項２に係る肩掛け式膝押草刈り機は、前記請求項１に記載の肩掛け式膝押草刈り機において、前記回転ブレード刃の下面に所定厚みを有し、全体として扁平な和太鼓状で胴周縁が凹凸状に屈曲して波打つ複数の周縁突出部及びそれらの間の谷溝又は同周辺部が複数水玉状の突出部とを有する刃押えアタッチメントを有することを特徴とする。
【考案の効果】
【００１０】
上記の構成としたので、本願考案は、本来的に力の強い脚力を草刈り作業に利用するようにしたので、その労力が半減する。すなわち、本来的に力のある膝を前方に押し出す力を草刈り作業のエネルギーにプラスすることができ、また、人間の歩くという自然の動きに基づいた動作を利用するので、この面からも効率的な草刈り作業を行うことができることとなる。さらに、ブレード刃の下面取付金具を工夫することにより、前記ブレード刃の回転動力の一部を左方向への直線駆動力に変換して、積極的、能動的に活用することにより、作業者の労力を軽減することをもできることとなる。
【図面の簡単な説明】
【００１１】
【図１】図１は、本考案の実施例１に係る肩掛け式膝押草刈り機の概略を示す図である。
【図２】図２は、本実施例１に係る肩掛け式膝押草刈り機１を用いて草刈り作業の概略を示す図である。
【図３】図３は、本考案の実施例２に係る刃押えアタッチメント２０の概略斜視図である。
【図４】図４は、同アタッチメント２０の背面図である。
【図５】図５は、前記回転ブレード刃４の下面に固定した状態の接合概略図である。
【図６】図６は、本実施例２に係る刃押えアタッチメント２０の動きを説明するためのブレード刃４を省略して上から見た概略図である。
【図７】図７は、本実施例２に係るアタッチメント２０を下面に配置した回転ブレード刃４を備えた本実施例１に係る肩掛け式膝押草刈り機１を使用して前記膝押しパッド７の位置が作業者の膝位置まで下がる結果、先端の回転ブレード刃４が作業者に対して手前下り勾配となり、前記刃押えアタッチメント２０が手前側で沈み込むことにより、前記谷溝２４の間に刈り取った草根茎が容易に入り込む概略を示す図である。
【図８】図８は、実用新案登録第３０４７７４９号公報に図１として添付される開示考案の一実施例に係る草刈り機の斜視図である。
【図９】図９は、実用新案登録第３０４７７４９号公報に図２として添付される開示考案の草刈り機による草刈り操作を説明する模式図である。
【考案を実施するための形態】
【００１２】
本考案に係る肩掛け式膝押草刈り機を実施するための一実施例を図面に基づき詳細に説明する。
【実施例１】
【００１３】
図１は、本考案の実施例１に係る肩掛け式膝押草刈り機の概略を示す図であり、図１において、符号１は、本実施例１に係る肩掛け式膝押草刈り機、２は、駆動源たるエンジン、３は、パイプシャフト、４は、回転ブレード刃、５は、長尺ハンドル、６は、短尺ハンドル、７は、膝押しパッド、８は、ハンドル交差部、９は、エンジンスロットル、１０は、飛散防止部材、１１は、肩掛け吊りバンドである。
【００１４】
本実施例１に係る肩掛け式膝押草刈り機１は、図１から明らかなように、作業者の左手側に前記長尺ハンドル５を備え、かつ、当該長尺ハンドル５の前記ハンドル交差部８から所定位置に作業者が膝を前方に押し出し可能な前記膝押しパッド７を設けたことを特徴とする。
【００１５】
具体的には、前記長尺ハンドル５としては、従来の左右対称のハンドルに比し、適宜１０〜２０ｃｍ程度長いものを使用し、また、前記膝押しパッド７については、４０ｃｍ程度の長さの発泡ゴム製の所定間隔で溝を有するひだ付きパッドを当該長尺ハンドル５に差し込んで４ｃｍ程度の外径を有する差込構造のパッド、ないしは、前記長尺ハンドル５に１．５〜２ｃｍ厚さの幅２０ｃｍで５ｃｍ程度手前水平に延びる逆三角形状または長方形状の板ゴム製パッドを前記ハンドル交差部８から５〜２５ｃｍの所定位置に設けるようにする。
【００１６】
なお、この長尺ハンドル５の長さ、及び膝押しパッド７の材質、位置は作業者の体格によって適宜調節可能とする。要は、一方に、長尺ハンドル５及び当該長尺ハンドル５上に外径の大きな膝押しパッド７を配置する構成であれば、左右やその長さ、距離、形状如何は自由に変更可能である。
【００１７】
図２は、本実施例１に係る肩掛け式膝押草刈り機１を用いて草刈り作業の概略を示す図であり、図２において、符号は図１に示す同じ部材は同じ符号で示す。
本実施例１に係る肩掛け式膝押草刈り機１による草刈り作業は、図２に示すように、草刈り作業において、回転ブレード刃４を左右に振り回して草を刈るだけでなく、作業者の膝に前記膝押しパッド７を当接し、これを前方に押し出すようにして作業を進めることができるようにしたことである。従来、草刈りに必要な作業領域において、作業者が前方に草刈り機を押し出すには、両ハンドルを握りしめ両ハンドルを腕の力だけで支え、腕の力だけで、又は、両ハンドルを腕で支えながら身体全体で押し出すことにより行われており、この作業は、草刈り作業に腕力と体力を要し、作業性を悪くしていた原因の一要素であった。
【００１８】
本実施例１に係る肩掛け式膝押草刈り機１によれば、人体の部位で大きな力を出すことのできる脚力を利用し、それも、地につけた脚の膝を前方に折り曲げ押し出すことだけで大きな前方押し出し力を得ることができ、草刈りの作業効率向上に大きく寄与することとなる。なお、ここに「膝を押し出す」とは、足を地につけたまま折り曲げて膝を押し出すことだけに止まらず、脚全体を前に踏み出す際の膝で押し出すことも含むものである。
【００１９】
このため、本実施例１に係る肩掛け式膝押草刈り機１は、前記肩掛け吊りバンド１１の長さを調節して前記膝パッド７を作業者の膝位置に当接するように調節し、草刈り作業を行うようにする。このようにして、本実施例１に係る肩掛け式膝押草刈り機１を膝を前方に折り曲げ押し出す脚力を利用して草刈り作業を行うようにしたので、従来と同様の左右に振り回すだけ、又は、両ハンドルをしっかりと握りしめ、腕力又は身体全体で草刈り機を押し出す草刈り作業に比し、容易に前方に押し出す草刈り作業を行うことができ、草刈りの作業効率が向上し、草刈り作業における労力が半減することとなる。
【００２０】
なお、図２に基づいて、本実施例１に係る肩掛け式膝押草刈り機１を使用する草刈り作業の概略を説明すると、当初、右膝を左の前記長尺ハンドル５の前記膝押しパッド７に当接して押し込んで行くと、左足の接地点を中心にして前記回転ブレード刃４が左前方に進み、その場の草を刈りこむと共に、作業領域の左端まで刈り込んだら、そのまま左足を前進させると、今度は左膝が前記膝押しパッド７に当接して、前記回転ブレード刃４は、右足の接地点を中心に右前方に進み、自然と右方向の草を刈ることとなる。そして、回転ブレード刃４が上から見て反時計回りに回転しているので、両足の前進動作によって前方左右の草を刈ることができることとなる。
【００２１】
本実施例１に係る肩掛け式膝押草刈り機１においては、これらの一連の動作をあくまでも無理のない自然な動作で行うことができ、このことから本実施例１に係る肩掛け式膝押草刈り機１を使用する草刈り作業の作業効率が向上するとともに、労力が軽減することが論理的にも理解される。
【００２２】
なお、前記膝パッド７を作業者の膝位置に当接するように調節して、草刈り作業を行うようにしたので、本実施例１に係る肩掛け式膝押草刈り機１は、全体として低位置となり、その結果、前記回転ブレード刃４は、作業者の手前方向に下り勾配７°±３°くらいの状態で草刈り作業を行うこととなり、後述する実施例２に係るアタッチメントを使用することと相まって、この面でも草刈り作業の効率を高めることができることとなる（実施例２として後述するアタッチメントを使用することにより、当該アタッチメントの谷溝が刈り取った後の草根茎に絡らまり、回転ブレード刃４は、上から見て反時計回りに回転しているので、その反動で右方向へ旋回するなど、右方向に加わる力が軽減され、ブレード刃の動きが安定し、この面からも効率が高まることとなる。
【００２３】
なお、図２に示す本実施例１に係る肩掛け式膝押草刈り機１おいて、押し出す膝については、当初、作業者の右膝で押し出すようにしたが、これは、当初左膝で押し出すようにしてもよいものであり、また、左右のハンドルについて、左に長尺ハンドル５を使用し、右に短尺ハンドル６を使用し、この左の長尺ハンドル５に膝押しパッド７を配置したが、これらにこだわるものではなく、左右逆の配置とするものであってもよいものである。
【実施例２】
【００２４】
次に、本考案に係る実施例２として、本実施例１に係る肩掛け式膝押草刈り機１に使用する刃押えアタッチメント２０について説明する。この種のアタッチメントは、通常は、草刈機用安定板として前記ブレード刃４を固定するためのものであり、通常は、回転ブレード刃４を固定し、回転を安定するためだけのものである。
しかしながら、本願考案者は、回転ブレード刃４の下側に大きく扁平な和太鼓状で、かつ、胴周縁が凹凸状に屈曲して波打つ特徴的形状の刃押さえアタッチメント２０を案出し、これを回転ブレード刃４の下面に取り付けることによって、草刈りの作業の疲労が少なく効率が高まることを見出したものである。
【００２５】
図３は、本考案の実施例２に係る刃押えアタッチメント２０の概略斜視図であり、図４は、同アタッチメント２０の背面図、図５は、前記回転ブレード刃４の下面に固定した状態の接合概略図である。図３〜図５において、符号２０は、刃押えアタッチメント、２１は、軸孔、２２は、ブレード刃固定面、２３ａ、２３ｂ、２３ｃ、２３ｄ、２３ｅ、２３ｆ、・・は、アタッチメント２０の周縁突出部、２４ａ、２４ｂ、２４ｃ、２５ｄ、２４ｅ、２４ｆ・・・は、前記周縁突出部２３ａ、２３ｂ、２３ｃ、２３ｄ、２３ｅ、２３ｆ、・・の間の谷溝、２５は、取り付け底部開口、２６は、取り付け部材、２７は、カバー部材、２８は、取り付け軸及び取り付けナットである（図４においては、便宜的に、前記周縁突出部を単に２３、前記谷溝を単に２４として示している。）。
【００２６】
図３〜図５から明らかなように、本実施例２に係る刃押えアタッチメント２０は、全体として扁平な和太鼓状であり、かつ、和太鼓の「胴」に当たる周縁に膨らむ部分が、凹凸状に屈曲して胴全周に渡り略３０度の間隔で波打つ周縁突出部２３ａ、２３ｂ、２３ｃ、２３ｄ、２３ｅ、２３ｆ、・・と、当該各周縁突出部２３ａ、２３ｂ、２３ｃ、２３ｄ、２３ｅ、２３ｆ、・・の間の前記谷溝２４ａ、２４ｂ、２４ｃ、２５ｄ、２４ｅ、２４ｆ・・・が配置される特徴的な形状を有するものである。
【００２７】
具体的には、本実施例２に係る刃押えアタッチメント２０は、前記回転ブレード刃４の２３０φに対し、ブレード刃４との接触幅１１２φ、胴外径１３０φ、高さ(厚さ）５０ｍｍ、周縁突出部２３ａ、２３ｂ、２３ｃ、２３ｄ、２３ｅ、２３ｆ・・のブレード刃４との接触幅１１２φ、周縁突出部２３ａ、２３ｂ、２３ｃ、２３ｄ、２３ｅ、２３ｆ・・と谷溝２４ａ、２４ｂ、２４ｃ、２５ｄ、２４ｅ、２４ｆ・・・に約９ｍｍ程度の凹凸差があり、この谷溝２４ａ、２４ｂ、２４ｃ、２５ｄ、２４ｅ、２４ｆ・・・に、刈り取って残った草の根の茎（「草根茎」）が入り込みやすい形状としたものである。すなわち、谷溝２４ａ、２４ｂ、２４ｃ、２５ｄ、２４ｅ、２４ｆ・・・に草根茎が入り込むことによって、本実施例２に係る刃押えアタッチメント２０で固定されるブレード刃４の動きが軽くなり、このような構成とすることにより、草刈り疲労度が軽減することとなる。
【００２８】
すなわち、本実施例２に係る刃押えアタッチメント２０を使用すると、回転ブレード刃４の動きが軽くなり、草刈りの作業の疲労が少なくなることについて説明すると以下のとおりである。
図６は、本実施例２に係る刃押えアタッチメント２０の動きを説明するためのブレード刃４を省略して当該アタッチメント２０を上から見た概略図であり、図６において、符号２０は、刃押えアタッチメント、２３ａ、２３ｂ、２３ｃ、２３ｄ、２３ｅ、２３ｆ・・は、前記刃押えアタッチメント２０の周縁突出部、２４ａ、２４ｂ、２４ｃ、２５ｄ、２４ｅ、２４ｆ・・・は、前記周縁突出部２３ａ、２３ｂ、２３ｃ、２３ｄ、２３ｅ、２３ｆ、・・の間の谷溝、２９ａ、２９ｂ、２９ｃ・・・は、前記ブレード刃４によって刈り取られて残った草の茎（草根茎）、刃押えアタッチメント２０上の矢印は、当該刃押えアタッチメントの２０の回転方向、同刃押えアタッチメント２０の太矢印１、２は、草刈り機１のブレード刃４を作業者が動かす方向を示している。
【００２９】
図６から明らかなように、本実施例２に係る刃押えアタッチメント２０が反時計回りに回転しつつ、図上の上方向及び左方向に移動するとき、刈り取られて地面から若干の高さに残った草の茎２９ａ、２９ｂ、２９ｃ・・・・が、前記前記刃押えアタッチメント２０の各谷溝２４ａ、２４ｂ、２４ｃ・・・の間に入り込み、それが各周縁突出部２３ａ、２３ｂ、２３ｃ、２３ｄ、２３ｅ、２３ｆ・・に当たることにより、この突出部２３と草根茎２９の当たりがブレード刃４の回転に対し摩擦抵抗を生ぜせしめ、その反動力によってブレード刃４を左方向に押し出すこととなる。すなわち、これらの周縁突出部２３ａ、２３ｂ・・等がない場合には、ブレード刃４は回転するがままに前後左右に動き廻ることとなるが、刈り取られた草根茎２９ａ、２９ｂ、２９ｃ・・が、各周縁突出部２３ａ、２３ｂ・・の前記谷溝２４ａ、２４ｂ、２４ｃ・・・の間に入ることにより、周縁突出部２３ａ、２３ｂ・・と草根茎２９ａ、２９ｂ・・との摩擦抵抗によってブレード刃４には、左方向への反動力として働くことになる。この反動力は、ブレード刃４の回転力の一部を左方向への駆動力として積極的、能動的に活用することができるために草刈り機１の作業疲れを軽減することとなるのである。特に、太い草に当たった時には、回転ブレード刃４が一瞬止まり、その反動で思わぬ方向にブレード刃４が動き回ることとなるが、特殊形状のアタッチメント２０をブレード刃４の下側に取り付けることによって、太い草茎に当たったときには、刈り取り残った太い草根茎２９ａ、２９ｂ、２９ｃ・・・・が、前記谷溝２４ａ、２４ｂ、２４ｃ、２４ｄ、２４ｅ、２４ｆ・・・に入り込み、周縁突出部２３ａ、２３ｂ、２３ｃ・・との摩擦により、いわばブレード刃４の暴走を食い止めることとなるのである。
【００３０】
なお、前述するように、本実施例１に係る肩掛け式膝押草刈り機１を使用して、前記膝押しパッド７の位置を作業者の膝位置まで下げる結果、先端の回転ブレード刃４は、先端が上がり、作業者に対して手前下り勾配をとることになるので、前記刃押えアタッチメント２０は手前側で刈り取った草根茎の間に容易に沈み込むことになるので、本実施例２に係る刃押えアタッチメント２０の前記各周縁突出部２３ａ、２３ｂ、２３ｃ、２３ｄ、２３ｅ、２３ｆ・・の間に入り込みやすくなった草根茎２９ａ、２９ｂ、２９ｃ・・・との間で容易に摩擦抵抗を得ることができ、ブレード刃４の安定性がより一層高まることとなる。
【００３１】
図７は、本実施例２に係るアタッチメント２０を下面に配置した回転ブレード刃４を備えた本実施例１に係る肩掛け式膝押草刈り機１を使用して前記膝押しパッド７の位置が作業者の膝位置まで下がる結果、先端の回転ブレード刃４が作業者に対して手前下り勾配となり、前記刃押えアタッチメント２０が手前側で沈み込むことにより、前記谷溝２４の間に刈り取った草根茎が容易に入り込む概略を示す図である。
【００３２】
なお、本実施例２に係る刃押えアタッチメント２０は、全体として扁平な和太鼓状であり、かつ、和太鼓の「胴」に当たる周縁に膨らむ部分が、凹凸状に屈曲して胴全周に渡り略３０度の間隔で波打つ周縁突出部２３ａ、２３ｂ、２３ｃ、２３ｄ、２３ｅ、２３ｆ、・・と、当該各周縁突出部２３ａ、２３ｂ、２３ｃ、２３ｄ、２３ｅ、２３ｆ、・・の間の前記谷溝２４ａ、２４ｂ、２４ｃ、２５ｄ、２４ｅ、２４ｆ・・・が配置される特徴的な形状としたが、これは、前記回転ブレード刃４に接する上部が平らで底部に至る中腹斜辺部が水平方向に波打って湾曲しつつ複数の水玉状の突出部を有する饅頭型形状の刃押えアタッチメントとしても良く、このようなアタッチメントを使用することにより、前記ブレード刃４の回転動力の一部を左方向への直線駆動力に変換して、積極的、能動的に活用することができ、作業者の労力を軽減することをもできることとなる。
【産業上の利用可能性】
【００３３】
本考案は、後端に配置されるエンジン等の動力機構によって前端に配置される円盤状ブレード刃を回動させて草刈りを行う肩掛け式草刈り機に利用される。
【符号の説明】
【００３４】
１ 実施例１に係る肩掛け式膝押草刈り機
２ エンジン
３ パイプシャフト
４ 回転ブレード刃
５ 長尺ハンドル
６ 短尺ハンドル
７ 膝押しパッド
８ ハンドル交差部
９ エンジンスロットル
１０ 飛散防止部材
１１ 肩掛け吊りバンド
２０ 刃押えアタッチメント
２１ 軸孔
２２ ブレード刃固定面
２３、２３ａ、２３ｂ、２３ｃ、２３ｄ、２３ｅ、２３ｆ、・・ 周縁突出部
２４、２４ａ、２４ｂ、２３ｃ、２３ｄ、２３ｅ、２３ｆ、・・谷溝
２５ 取り付け底部開口
２６ 取り付け部材
２７ カバー部材
２８ 取り付け軸及び取り付けナット
２９ａ、２９ｂ、２９ｃ・・・ 刈り取られた草根茎
１０１ パイプシャフト
１０２ 円盤刃
１０２ａ ギヤケース
１０３ ケーシング
１０４ ハンドル杆
１０４ａ 取付具
１０５ 吊りバンド
１０６ａ、１０６ｂ 握り部
１０７ 副操作杆
１０７ａ 握り部
１０７ｂ 取付基部
１０７ｃ 固定用ねじ
１０８ 防止板
１０９ スロットルレバー
Ａ、Ｂ 正面からの作業部位
Ｍ 作業者
Ｏ 身体中心
【図１】
0003223823.tif 000003
【図２】
0003223823.tif 000004
【図３】
0003223823.tif 000005
【図４】
0003223823.tif 000006
【図５】
0003223823.tif 000007
【図６】
0003223823.tif 000008
【図７】
0003223823.tif 000009
【図８】
0003223823.tif 000010
【図９】
0003223823.tif 000011